(57)【特許請求の範囲】
【請求項１】
通信機器向けのダウンリンク制御情報の非スケジュール送信を前記通信機器が探索するシステムにおいて、
複数の送信技術の各々のためのそれぞれの１又はそれ以上のアグリゲーションレベルの組を選択することにより、前記複数の送信技術による前記通信機器向けのダウンリンク制御情報の非スケジュール送信のための探索空間の組み合わせを選択するステップであって、前記ダウンリンク制御情報の送信に複数のアグリゲーションレベルが使用でき、各送信技術のアグリゲーションレベル毎にそれぞれの探索空間が予め定められるステップと、
前記選択された１又はそれ以上のアグリゲーションレベルの組を識別する、前記選択した組み合わせの結果の指示を前記通信機器に送信するステップと、
を含むことを特徴とする方法。
【請求項２】
前記複数の送信技術のうちの１つ又はそれ以上による前記通信機器向けのダウンリンク制御情報の非スケジュール送信に、前記複数の送信技術のうちの１又はそれ以上の他の送信技術による前記通信機器向けのダウンリンク制御情報の非スケジュール送信に関連してどれほどの探索空間を割り当てるべきかを決定するステップを含む、
ことを特徴とする請求項１に記載の方法。
【請求項３】
前記選択するステップは、複数の所定の組み合わせから所定の組み合わせを選択するステップを含む、
ことを特徴とする請求項１又は２に記載の方法。
【請求項４】
前記複数の所定の組み合わせは、前記複数の送信技術のうちの１つによるダウンリンク制御情報の非スケジュール送信に探索空間が割り当てられていない所定の組み合わせを含む、
ことを特徴とする請求項３に記載の方法。
【請求項５】
前記複数の送信技術は、前記通信機器に固有の１又はそれ以上の基準信号の送信を伴う第１の送信技術と、前記通信機器に固有の１又はそれ以上の基準信号の送信を伴わない第２の送信技術とを含む、
ことを特徴とする請求項１から４のいずれかに記載の方法。
【請求項６】
前記複数の送信技術は、前記通信機器に固有の１又はそれ以上の基準信号及び１又はそれ以上のチャネル状態情報基準信号の両方の送信を伴う第１の送信技術と、１又はそれ以上のセル固有の基準信号の送信を伴う第２の送信技術とを含む、
ことを特徴とする請求項１から５のいずれかに記載の方法。
【請求項７】
前記複数の送信技術は、復調基準信号をプリコーディングして送信するとともに、ダウンリンク制御情報を定めるデータシンボルをプリコーディングして送信すること、及び１又はそれ以上のチャネル状態情報基準信号を送信するとともに、ダウンリンク制御情報を定めるプリコーディングデータシンボルを送信することを伴う第１の送信技術と、セル固有の基準信号を送信するとともに、ダウンリンク制御情報を定めるプリコーディングデータシンボルを送信することを伴う第２の送信技術とを含む、
ことを特徴とする請求項１から６のいずれかに記載の方法。
【請求項８】
複数のメッセージフォーマットに従う通信機器向けのダウンリンク制御情報メッセージの非スケジュール送信を前記通信機器が探索するシステムにおいて、
前記複数のメッセージフォーマットの各々のためのそれぞれの１又はそれ以上のアグリゲーションレベルの組を選択することにより、前記複数のメッセージフォーマットの各々のためのそれぞれの１又はそれ以上の探索空間の組を選択するステップであって、前記ダウンリンク制御情報メッセージの送信に複数のアグリゲーションレベルが使用でき、該アグリゲーションレベル毎にそれぞれの探索空間が予め定められるステップと、
前記選択されたそれぞれの１又はそれ以上のアグリゲーションレベルの組を識別する、前記それぞれの１又はそれ以上の探索空間の組の選択結果の指示を前記通信機器に送信するステップと、
を含むことを特徴とする方法。
【請求項９】
前記複数のメッセージフォーマットは、それぞれの第１及び第２の送信モードに従う送信のための制御情報を提供する第１及び第２のメッセージフォーマットを含み、前記選択するステップは、前記第１及び第２の送信モードのそれぞれの送信エラー確率の指示を考慮する、
ことを特徴とする請求項８に記載の方法。
【請求項１０】
複数の送信技術による１又はそれ以上の通信機器向けのダウンリンク制御情報の非スケジュール送信のための探索空間の組み合わせの選択結果の指示を無線アクセスネットワークが送信するシステムにおいて、第１の通信機器向けのダウンリンク制御情報の非スケジュール送信を前記第１の通信機器において探索するステップを含み、該探索するステップは、
（ａ）前記複数の送信技術によるダウンリンク制御情報の非スケジュール送信のための探索空間の組み合わせについての前記第１の通信機器のための送信された選択結果の指示に基づいて行われ、前記指示は、前記複数の送信技術の各々のための選択されたそれぞれの１又はそれ以上のアグリゲーションレベルの組を識別し、前記ダウンリンク制御情報の送信に複数のアグリゲーションレベルが使用でき、各送信技術のためのアグリゲーションレベル毎にそれぞれの探索空間が予め定められ、或いは
（ｂ）前記複数の送信技術によるダウンリンク制御情報の非スケジュール送信のための探索空間の組み合わせについての前記第１の通信機器のための選択結果の指示が送信されない場合には、前記複数の送信技術による前記第１の通信機器向けのダウンリンク制御情報の非スケジュール送信のためのアグリゲーションレベル及び探索空間のデフォルトの組み合わせに基づいて行われる、
ことを特徴とする方法。
【請求項１１】
複数の送信技術による第１の通信機器向けのダウンリンク制御情報の非スケジュール送信を前記第１の通信機器において探索するステップを含み、該探索するステップは、前記複数の送信技術による前記第１の通信機器向けのダウンリンク制御情報の非スケジュール送信のための探索空間の組み合わせについての送信された選択結果の指示に基づいて行われ、前記指示は、前記複数の送信技術の各々のための選択されたそれぞれの１又はそれ以上のアグリゲーションレベルの組を識別し、前記ダウンリンク制御情報の送信に複数のアグリゲーションレベルが使用でき、各送信技術のためのアグリゲーションレベル毎にそれぞれの探索空間が予め定められる
ことを特徴とする方法。
【請求項１２】
前記送信される指示は、前記複数の送信技術のうちの１つ又はそれ以上による前記第１の通信機器向けのダウンリンク制御情報の非スケジュール送信に、前記複数の送信技術のうちの１つ又はそれ以上の他の送信技術による前記第１の通信機器向けのダウンリンク制御情報の非スケジュール送信に関連してどれほどの探索空間を割り当てたかを示す、ことを特徴とする請求項１０又は１１に記載の方法。
【請求項１３】
前記送信される指示は、複数の所定の組み合わせのうちの１つを識別する、
ことを特徴とする請求項１０から１２のいずれかに記載の方法。
【請求項１４】
前記複数の所定の組み合わせは、前記複数の送信技術のうちの１つによるダウンリンク制御情報の非スケジュール送信に探索空間が割り当てられていない所定の組み合わせを含む、
ことを特徴とする請求項１３に記載の方法。
【請求項１５】
前記複数の送信技術は、前記第１の通信機器に固有の１又はそれ以上の基準信号の送信を伴う第１の送信技術と、前記第１の通信機器に固有の１又はそれ以上の基準信号の送信を伴わない第２の送信技術とを含む、
ことを特徴とする請求項１０から１４のいずれかに記載の方法。
【請求項１６】
前記複数の送信技術は、前記第１の通信機器に固有の１又はそれ以上の基準信号及び１又はそれ以上のチャネル状態情報基準信号の両方の送信を伴う第１の送信技術と、１又はそれ以上のセル固有の基準信号の送信を伴う第２の送信技術とを含む、
ことを特徴とする請求項１０から１５のいずれかに記載の方法。
【請求項１７】
前記複数の送信技術は、復調基準信号をプリコーディングして送信するとともに、ダウンリンク制御情報を定めるデータシンボルをプリコーディングして送信すること、及び１又はそれ以上のチャネル状態情報基準信号を送信するとともに、ダウンリンク制御情報を定めるプリコーディングデータシンボルを送信することを伴う第１の送信技術と、セル固有の基準信号を送信するとともに、ダウンリンク制御情報を定めるプリコーディングデータシンボルを送信することを伴う第２の送信技術とを含む、
ことを特徴とする請求項１０から１６のいずれかに記載の方法。
【請求項１８】
複数のメッセージフォーマットに従う複数の通信機器向けのダウンリンク制御情報メッセージの非スケジュール送信を無線アクセスネットワークが行い、前記複数のメッセージフォーマットの各々のためのそれぞれの１又はそれ以上の探索空間の組についての１又はそれ以上の通信機器のための選択結果の指示を前記無線アクセスネットワークが送信するシステムにおいて、前記指示は、前記複数のメッセージフォーマットの各々のための選択されたそれぞれの１又はそれ以上のアグリゲーションレベルの組を識別し、ダウンリンク制御情報メッセージの送信に複数のアグリゲーションレベルが使用でき、アグリゲーションレベル毎にそれぞれの探索空間が予め定められ、第１の通信機器向けのダウンリンク制御情報の非スケジュール送信を前記第１の通信機器において探索するステップを含み、該探索するステップは、（ａ）前記複数のメッセージフォーマットの各々のためのそれぞれの１又はそれ以上の探索空間の組についての前記第１の通信機器のための送信された選択結果の指示に基づいて行われ、前記指示は、前記選択されたそれぞれの１又はそれ以上のアグリゲーションレベルの組を識別し、或いは（ｂ）前記複数のメッセージフォーマットの各々のためのそれぞれの１又はそれ以上の探索空間の組についての前記第１の通信機器のための選択結果の指示が送信されない場合には、前記複数のメッセージフォーマットの各々のためのそれぞれのデフォルトの１又はそれ以上の探索空間及びアグリゲーションレベルの組に基づいて行われる、
ことを特徴とする方法。
【請求項１９】
複数のメッセージフォーマットに従う第１の通信機器向けのダウンリンク制御情報メッセージの非スケジュール送信を前記第１の通信機器において探索するステップを含み、該探索するステップは、前記複数のメッセージフォーマットの各々のためのそれぞれの１又はそれ以上の探索空間の組についての送信された選択結果の指示に基づいて行われ、前記指示は、前記複数のメッセージフォーマットの各々のための選択されたそれぞれの１又はそれ以上のアグリゲーションレベルの組を識別し、ダウンリンク制御情報メッセージの送信に複数のアグリゲーションレベルが使用でき、アグリゲーションレベル毎にそれぞれの探索空間が予め定められる
ことを特徴とする方法。
【請求項２０】
プロセッサと、コンピュータプログラムコードを含むメモリとを備えた装置であって、前記メモリ及びコンピュータプログラムコードは、前記プロセッサと協働して、
通信機器向けのダウンリンク制御情報の非スケジュール送信を前記通信機器が探索するシステムにおいて、複数の送信技術の各々のためのそれぞれの１又はそれ以上のアグリゲーションレベルの組を選択することにより、前記複数の送信技術による前記通信機器向けのダウンリンク制御情報の非スケジュール送信のための探索空間の組み合わせを選択するステップであって、前記ダウンリンク制御情報の送信に複数のアグリゲーションレベルが使用でき、各送信技術のアグリゲーションレベル毎にそれぞれの探索空間が予め定められるステップ、及び、
前記選択された１又はそれ以上のアグリゲーションレベルの組を識別する、前記選択した組み合わせの結果の指示を前記通信機器に送信するステップ、
を前記装置に行わせるように構成される、
ことを特徴とする装置。
【請求項２１】
前記メモリ及びコンピュータプログラムコードは、前記プロセッサと協働して、前記複数の送信技術のうちの１つ又はそれ以上による前記通信機器向けのダウンリンク制御情報の非スケジュール送信に、前記複数の送信技術のうちの１又はそれ以上の他の送信技術による前記通信機器向けのダウンリンク制御情報の非スケジュール送信に関連してどれほどの探索空間を割り当てるべきかを決定することを前記装置に行わせるようにさらに構成される、
ことを特徴とする請求項２０に記載の装置。
【請求項２２】
前記メモリ及びコンピュータプログラムコードは、前記プロセッサと協働して、複数の所定の組み合わせから所定の組み合わせを選択することを前記装置に行わせるようにさらに構成される、
ことを特徴とする請求項２０又は請求項２１に記載の装置。
【請求項２３】
前記複数の所定の組み合わせは、前記複数の送信技術のうちの１つによるダウンリンク制御情報の非スケジュール送信に探索空間が割り当てられていない所定の組み合わせを含む、
ことを特徴とする請求項２２に記載の装置。
【請求項２４】
前記ダウンリンク制御情報の送信に複数のアグリゲーションレベルが使用され、各送信技術のアグリゲーションレベル毎にそれぞれの探索空間が予め定められ、前記メモリ及びコンピュータプログラムコードは、前記プロセッサと協働して、前記複数の送信技術の各々のためのそれぞれの１又はそれ以上のアグリゲーションレベルの組を選択すること、及び前記選択されたそれぞれのアグリゲーションレベルの組の指示を前記通信機器に送信することを前記装置に行わせるようにさらに構成される、
ことを特徴とする請求項２０から２３のいずれかに記載の装置。
【請求項２５】
前記複数の送信技術は、前記通信機器に固有の１又はそれ以上の基準信号の送信を伴う第１の送信技術と、前記通信機器に固有の１又はそれ以上の基準信号の送信を伴わない第２の送信技術とを含む、
ことを特徴とする請求項２０から２４のいずれかに記載の装置。
【請求項２６】
前記複数の送信技術は、前記通信機器に固有の１又はそれ以上の基準信号及び１又はそれ以上のチャネル状態情報基準信号の両方の送信を伴う第１の送信技術と、１又はそれ以上のセル固有の基準信号の送信を伴う第２の送信技術とを含む、
ことを特徴とする請求項２０から２５のいずれかに記載の装置。
【請求項２７】
前記複数の送信技術は、復調基準信号をプリコーディングして送信するとともに、ダウンリンク制御情報を定めるデータシンボルをプリコーディングして送信すること、及び１又はそれ以上のチャネル状態情報基準信号を送信するとともに、ダウンリンク制御情報を定めるプリコーディングデータシンボルを送信することを伴う第１の送信技術と、セル固有の基準信号を送信するとともに、ダウンリンク制御情報を定めるプリコーディングデータシンボルを送信することを伴う第２の送信技術とを含む、
ことを特徴とする請求項２０から２６のいずれかに記載の装置。
【請求項２８】
プロセッサと、コンピュータプログラムコードを含むメモリとを備えた装置であって、前記メモリ及びコンピュータプログラムコードは、前記プロセッサと協働して、
複数のメッセージフォーマットに従う通信機器向けのダウンリンク制御情報メッセージの非スケジュール送信を前記通信機器が探索するシステムにおいて、前記複数のメッセージフォーマットの各々のためのそれぞれの１又はそれ以上のアグリゲーションレベルの組を選択することにより、前記複数のメッセージフォーマットの各々のためのそれぞれの１又はそれ以上の探索空間の組を選択するステップであって、前記ダウンリンク制御情報メッセージの送信に複数のアグリゲーションレベルが使用でき、該アグリゲーションレベル毎にそれぞれの探索空間が予め定められるステップ、及び、
前記選択されたそれぞれの１又はそれ以上のアグリゲーションレベルの組を識別する、前記それぞれの１又はそれ以上の探索空間の組の選択結果の指示を前記通信機器に送信するステップ、
を前記装置に行わせるように構成される、
ことを特徴とする装置。
【請求項２９】
前記ダウンリンク制御情報メッセージの送信に複数のアグリゲーションレベルが使用され、アグリゲーションレベル毎にそれぞれの探索空間が予め定められ、前記メモリ及びコンピュータプログラムコードは、前記プロセッサと協働して、前記複数のメッセージフォーマットの各々のためのそれぞれの１又はそれ以上のアグリゲーションレベルの組を選択すること、及び前記選択されたそれぞれのアグリゲーションレベルの組の指示を前記通信機器に送信することを前記装置に行わせるようにさらに構成される、
ことを特徴とする請求項２８に記載の装置。
【請求項３０】
前記複数のメッセージフォーマットは、それぞれの第１及び第２の送信モードに従う送信のための制御情報を提供する第１及び第２のメッセージフォーマットを含み、前記メモリ及びコンピュータプログラムコードは、前記プロセッサと協働して、前記第１及び第２の送信モードのそれぞれの送信エラー確率の指示を考慮して前記装置に前記選択を行わせるようにさらに構成される、
ことを特徴とする請求項２８又は請求項２９に記載の装置。
【請求項３１】
プロセッサと、コンピュータプログラムコードを含むメモリとを備えた装置であって、前記メモリ及びコンピュータプログラムコードは、前記プロセッサと協働して、複数の送信技術による１又はそれ以上の通信機器向けのダウンリンク制御情報の非スケジュール送信のための探索空間の組み合わせの選択結果の指示を無線アクセスネットワークが送信するシステムにおいて、第１の通信機器向けのダウンリンク制御情報の非スケジュール送信を前記第１の通信機器において探索することを前記装置に行わせるように構成され、前記探索は、
（ａ）前記複数の送信技術によるダウンリンク制御情報の非スケジュール送信のための探索空間の組み合わせについての前記第１の通信機器のための送信された選択結果の指示に基づいて行われ、前記指示は、前記複数の送信技術の各々のための選択されたそれぞれの１又はそれ以上のアグリゲーションレベルの組を識別し、前記ダウンリンク制御情報の送信に複数のアグリゲーションレベルが使用でき、各送信技術のためのアグリゲーションレベル毎にそれぞれの探索空間が予め定められ、或いは
（ｂ）前記複数の送信技術によるダウンリンク制御情報の非スケジュール送信のための探索空間の組み合わせについての前記第１の通信機器のための選択結果の指示が送信されない場合には、前記複数の送信技術による前記第１の通信機器向けのダウンリンク制御情報の非スケジュール送信のためのアグリゲーションレベル及び探索空間のデフォルトの組み合わせに基づいて行われる、
ことを特徴とする装置。
【請求項３２】
プロセッサと、コンピュータプログラムコードを含むメモリとを備えた装置であって、前記メモリ及びコンピュータプログラムコードは、前記プロセッサと協働して、複数の送信技術による第１の通信機器向けのダウンリンク制御情報の非スケジュール送信を前記第１の通信機器において探索することを前記装置に行わせるように構成され、前記探索は、前記複数の送信技術による前記第１の通信機器向けのダウンリンク制御情報の非スケジュール送信のための探索空間の組み合わせについての送信された選択結果の指示に基づいて行われ、前記指示は、前記複数の送信技術の各々のための選択されたそれぞれの１又はそれ以上のアグリゲーションレベルの組を識別し、前記ダウンリンク制御情報の送信に複数のアグリゲーションレベルが使用でき、各送信技術のためのアグリゲーションレベル毎にそれぞれの探索空間が予め定められる
ことを特徴とする装置。
【請求項３３】
前記送信される指示は、前記複数の送信技術のうちの１つ又はそれ以上による前記第１の通信機器向けのダウンリンク制御情報の非スケジュール送信に、前記複数の送信技術のうちの１つ又はそれ以上の他の送信技術による前記第１の通信機器向けのダウンリンク制御情報の非スケジュール送信に関連してどれほどの探索空間を割り当てるべきかを示す、ことを特徴とする請求項３１又は請求項３２に記載の装置。
【請求項３４】
前記送信される指示は、複数の所定の組み合わせのうちの１つを識別する、
ことを特徴とする請求項３１から３３のいずれかに記載の装置。
【請求項３５】
前記複数の所定の組み合わせは、前記複数の送信技術のうちの１つによるダウンリンク制御情報の非スケジュール送信に探索空間が割り当てられていない所定の組み合わせを含む、
ことを特徴とする請求項３４に記載の装置。
【請求項３６】
前記ダウンリンク制御情報の送信に複数のアグリゲーションレベルが使用され、各送信技術のアグリゲーションレベル毎にそれぞれの探索空間が予め定められ、前記送信される指示は、前記複数の送信技術の各々のためのそれぞれの１又はそれ以上のアグリゲーションレベルの組を識別する、
ことを特徴とする請求項３１から３５のいずれかに記載の装置。
【請求項３７】
前記複数の送信技術は、前記第１の通信機器に固有の１又はそれ以上の基準信号の送信を伴う第１の送信技術と、前記第１の通信機器に固有の１又はそれ以上の基準信号の送信を伴わない第２の送信技術とを含む、
ことを特徴とする請求項３１から３６のいずれかに記載の装置。
【請求項３８】
前記複数の送信技術は、前記第１の通信機器に固有の１又はそれ以上の基準信号及び１又はそれ以上のチャネル状態情報基準信号の両方の送信を伴う第１の送信技術と、１又はそれ以上のセル固有の基準信号の送信を伴う第２の送信技術とを含む、
ことを特徴とする請求項３１から３７のいずれかに記載の装置。
【請求項３９】
前記複数の送信技術は、復調基準信号をプリコーディングして送信するとともに、ダウンリンク制御情報を定めるデータシンボルをプリコーディングして送信すること、及び１又はそれ以上のチャネル状態情報基準信号を送信するとともに、ダウンリンク制御情報を定めるプリコーディングデータシンボルを送信することを伴う第１の送信技術と、セル固有の基準信号を送信するとともに、ダウンリンク制御情報を定めるプリコーディングデータシンボルを送信することを伴う第２の送信技術とを含む、
ことを特徴とする請求項３１から３８のいずれかに記載の装置。
【請求項４０】
プロセッサと、コンピュータプログラムコードを含むメモリとを備えた装置であって、前記メモリ及びコンピュータプログラムコードは、前記プロセッサと協働して、複数のメッセージフォーマットに従う複数の通信機器向けのダウンリンク制御情報メッセージの非スケジュール送信を無線アクセスネットワークが行い、前記複数のメッセージフォーマットの各々のためのそれぞれの１又はそれ以上の探索空間の組についての１又はそれ以上の通信機器のための選択結果の指示を前記無線アクセスネットワークが送信するシステムにおいて、前記指示は、前記複数のメッセージフォーマットの各々のための選択されたそれぞれの１又はそれ以上のアグリゲーションレベルの組を識別し、ダウンリンク制御情報メッセージの送信に複数のアグリゲーションレベルが使用でき、アグリゲーションレベル毎にそれぞれの探索空間が予め定められ、第１の通信機器向けのダウンリンク制御情報の非スケジュール送信を前記第１の通信機器において探索することを前記装置に行わせるように構成され、前記探索は、（ａ）前記複数のメッセージフォーマットの各々のためのそれぞれの１又はそれ以上の探索空間の組についての前記第１の通信機器のための送信された選択結果の指示に基づいて行われ、前記指示は、前記選択されたそれぞれの１又はそれ以上のアグリゲーションレベルの組を識別し、或いは（ｂ）前記複数のメッセージフォーマットの各々のためのそれぞれの１又はそれ以上の探索空間の組についての前記第１の通信機器のための選択結果の指示が送信されない場合には、前記複数のメッセージフォーマットの各々のためのそれぞれのデフォルトの１又はそれ以上の探索空間及びアグリゲーションレベルの組に基づいて行われる、
ことを特徴とする装置。
【請求項４１】
プロセッサと、コンピュータプログラムコードを含むメモリとを備えた装置であって、前記メモリ及びコンピュータプログラムコードは、前記プロセッサと協働して、複数のメッセージフォーマットに従う第１の通信機器向けのダウンリンク制御情報メッセージの非スケジュール送信を前記第１の通信機器において探索することを前記装置に行わせるように構成され、前記探索は、前記複数のメッセージフォーマットの各々のためのそれぞれの１又はそれ以上の探索空間の組についての送信された選択結果の指示に基づいて行われ、前記指示は、前記複数のメッセージフォーマットの各々のための選択されたそれぞれの１又はそれ以上のアグリゲーションレベルの組を識別し、ダウンリンク制御情報メッセージの送信に複数のアグリゲーションレベルが使用でき、アグリゲーションレベル毎にそれぞれの探索空間が予め定められる
ことを特徴とする装置。
【請求項４２】
前記ダウンリンク制御情報メッセージの送信に複数のアグリゲーションレベルが使用され、該アグリゲーションレベル毎にそれぞれの探索空間が予め定められ、前記送信される指示は、前記複数のメッセージフォーマットの各々のためのそれぞれの選択された１又はそれ以上のアグリゲーションレベルの組を識別する、
ことを特徴とする請求項４１に記載の装置。
【請求項４３】
プログラムコード手段を含むコンピュータプログラムであって、前記プログラムコード手段は、コンピュータにロードされた時に、通信機器向けのダウンリンク制御情報の非スケジュール送信を前記通信機器が探索するシステムにおいて、複数の送信技術の各々のためのそれぞれの１又はそれ以上のアグリゲーションレベルの組を選択することにより、前記複数の送信技術による前記通信機器向けのダウンリンク制御情報の非スケジュール送信のための探索空間の組み合わせを選択するステップであって、前記ダウンリンク制御情報の送信に複数のアグリゲーションレベルが使用でき、各送信技術のアグリゲーションレベル毎にそれぞれの探索空間が予め定められるステップ、及び、前記選択された１又はそれ以上のアグリゲーションレベルの組を識別する、前記選択した組み合わせの結果の指示を前記通信機器に送信するステップを行うように前記コンピュータを制御する、
ことを特徴とするコンピュータプログラム。
【請求項４４】
プログラムコード手段を含むコンピュータプログラムであって、前記プログラムコード手段は、コンピュータにロードされた時に、複数のメッセージフォーマットに従う通信機器向けのダウンリンク制御情報メッセージの非スケジュール送信を前記通信機器が探索するシステムにおいて、前記複数のメッセージフォーマットの各々のためのそれぞれの１又はそれ以上のアグリゲーションレベルの組を選択することにより、前記複数のメッセージフォーマットの各々のためのそれぞれの１又はそれ以上の探索空間の組を選択するステップであって、前記ダウンリンク制御情報メッセージの送信に複数のアグリゲーションレベルが使用でき、該アグリゲーションレベル毎にそれぞれの探索空間が予め定められるステップ、及び、前記選択されたそれぞれの１又はそれ以上のアグリゲーションレベルの組を識別する、前記それぞれの１又はそれ以上の探索空間の組の選択結果の指示を前記通信機器に送信するステップを行うように前記コンピュータを制御する、
ことを特徴とするコンピュータプログラム。
【請求項４５】
プログラムコード手段を含むコンピュータプログラムであって、前記プログラムコード手段は、コンピュータにロードされた時に、複数の送信技術による１又はそれ以上の通信機器向けのダウンリンク制御情報の非スケジュール送信のための探索空間の組み合わせの選択結果の指示を無線アクセスネットワークが送信するシステムにおいて、第１の通信機器向けのダウンリンク制御情報の非スケジュール送信を前記第１の通信機器において探索するように前記コンピュータを制御し、前記探索は、（ａ）前記複数の送信技術によるダウンリンク制御情報の非スケジュール送信のための探索空間の組み合わせについての前記第１の通信機器のための送信された選択結果の指示に基づいて行われ、前記指示は、前記複数の送信技術の各々のための選択されたそれぞれの１又はそれ以上のアグリゲーションレベルの組を識別し、前記ダウンリンク制御情報の送信に複数のアグリゲーションレベルが使用でき、各送信技術のためのアグリゲーションレベル毎にそれぞれの探索空間が予め定められ、或いは（ｂ）前記複数の送信技術によるダウンリンク制御情報の非スケジュール送信のための探索空間の組み合わせについての前記第１の通信機器のための選択結果の指示が送信されない場合には、前記複数の送信技術による前記第１の通信機器向けのダウンリンク制御情報の非スケジュール送信のためのアグリゲーションレベル及び探索空間のデフォルトの組み合わせに基づいて行われる、
ことを特徴とするコンピュータプログラム。
【請求項４６】
プログラムコード手段を含むコンピュータプログラムであって、前記プログラムコード手段は、コンピュータにロードされた時に、複数の送信技術による第１の通信機器向けのダウンリンク制御情報の非スケジュール送信を前記第１の通信機器において探索するように前記コンピュータを制御し、前記探索は、前記複数の送信技術による前記第１の通信機器向けのダウンリンク制御情報の非スケジュール送信のための探索空間の組み合わせについての送信された選択結果の指示に基づいて行われ、前記指示は、前記複数の送信技術の各々のための選択されたそれぞれの１又はそれ以上のアグリゲーションレベルの組を識別し、前記ダウンリンク制御情報の送信に複数のアグリゲーションレベルが使用でき、各送信技術のためのアグリゲーションレベル毎にそれぞれの探索空間が予め定められる
ことを特徴とするコンピュータプログラム。
【請求項４７】
プログラムコード手段を含むコンピュータプログラムであって、前記プログラムコード手段は、コンピュータにロードされた時に、複数のメッセージフォーマットに従う複数の通信機器向けのダウンリンク制御情報メッセージの非スケジュール送信を無線アクセスネットワークが行い、前記複数のメッセージフォーマットの各々のためのそれぞれの１又はそれ以上の探索空間の組についての１又はそれ以上の通信機器のための選択結果の指示を前記無線アクセスネットワークが送信するシステムにおいて、前記指示は、前記複数のメッセージフォーマットの各々のための選択されたそれぞれの１又はそれ以上のアグリゲーションレベルの組を識別し、ダウンリンク制御情報メッセージの送信に複数のアグリゲーションレベルが使用でき、アグリゲーションレベル毎にそれぞれの探索空間が予め定められ、第１の通信機器向けのダウンリンク制御情報の非スケジュール送信を前記第１の通信機器において探索するように前記コンピュータを制御し、前記探索は、（ａ）前記複数のメッセージフォーマットの各々のためのそれぞれの１又はそれ以上の探索空間の組についての前記第１の通信機器のための送信された選択結果の指示に基づいて行われ、前記指示は、前記選択されたそれぞれの１又はそれ以上のアグリゲーションレベルの組を識別し、或いは（ｂ）前記複数のメッセージフォーマットの各々のためのそれぞれの１又はそれ以上の探索空間の組についての前記第１の通信機器のための選択結果の指示が送信されない場合には、前記複数のメッセージフォーマットの各々のためのそれぞれのデフォルトの１又はそれ以上の探索空間及びアグリゲーションレベルの組に基づいて行われる、
ことを特徴とするコンピュータプログラム。
【請求項４８】
プログラムコード手段を含むコンピュータプログラムであって、前記プログラムコード手段は、コンピュータにロードされた時に、複数のメッセージフォーマットに従う第１の通信機器向けのダウンリンク制御情報メッセージの非スケジュール送信を前記第１の通信機器において探索するように前記コンピュータを制御し、前記探索は、前記複数のメッセージフォーマットの各々のためのそれぞれの１又はそれ以上の探索空間の組についての送信された選択結果の指示に基づいて行われ、前記指示は、前記複数のメッセージフォーマットの各々のための選択されたそれぞれの１又はそれ以上のアグリゲーションレベルの組を識別し、ダウンリンク制御情報メッセージの送信に複数のアグリゲーションレベルが使用でき、アグリゲーションレベル毎にそれぞれの探索空間が予め定められる
ことを特徴とするコンピュータプログラム。
【発明の詳細な説明】
【背景技術】
【０００１】
通常、無線通信システムでは、ダウンリンク制御情報の送信が、このダウンリンク制御情報の（単複の）対象受信者に正確な識別情報が知られていない無線リソースを介して行われる。受信装置は、異なる無線リソースの組の候補を繰り返し選択し、この選択した無線リソースの組で搬送される信号をうまく復号しようと試みることにより、この受信装置を対象とするダウンリンク制御情報を発見する。このことは、ブラインド復号として知られている。
【０００２】
従来の送信技術による非スケジュール送信を継続する一方で、周波数領域パケットスケジューリング（ＦＤＰＳ）の利得などの利得を目的にすることができる高度な送信技術に従ってこのようなダウンリンク制御情報の非スケジュール送信を行うことが提案されている。
【発明の概要】
【発明が解決しようとする課題】
【０００３】
上述した提案の下では、通信機器がブラインド復号を行うために必要な処理能力を低減させるという課題が認められている。
【課題を解決するための手段】
【０００４】
本明細書では、通信機器向けのダウンリンク制御情報の非スケジュール送信を前記通信機器が探索するシステムにおいて、複数の送信技術による通信機器向けのダウンリンク制御情報の非スケジュール送信のための探索空間の組み合わせを選択するステップと、選択した組み合わせの結果の指示を前記通信機器に送信するステップとを含む方法を提供する。
【０００５】
１つの実施形態によれば、この方法は、前記複数の送信技術のうちの１つ又はそれ以上による前記通信機器向けのダウンリンク制御情報の非スケジュール送信に、前記複数の送信技術のうちの１又はそれ以上の他の送信技術による前記通信機器向けのダウンリンク制御情報の非スケジュール送信に関連してどれほどの探索空間を割り当てるべきかを決定するステップをさらに含む。
【０００６】
１つの実施形態によれば、前記選択するステップは、複数の所定の組み合わせから所定の組み合わせを選択するステップを含む。
【０００７】
１つの実施形態によれば、前記複数の所定の組み合わせは、前記複数の送信技術のうちの１つによるダウンリンク制御情報の非スケジュール送信に探索空間が割り当てられていない所定の組み合わせを含む。
【０００８】
１つの実施形態によれば、ダウンリンク制御情報の送信に複数のアグリゲーションレベルが使用され、各送信技術のアグリゲーションレベル毎にそれぞれの探索空間が予め定められ、方法は、前記複数の送信技術の各々のためのそれぞれの１又はそれ以上のアグリゲーションレベルの組を選択するステップと、選択されたそれぞれのアグリゲーションレベルの組の指示を前記通信機器に送信するステップとをさらに含む。
【０００９】
１つの実施形態によれば、前記選択するステップは、（ａ）送信が行われるセルにかかる負荷の大きさ、及び（ｂ）通信機器との無線インターフェイスのチャネル状態情報、の一方又は両方に少なくとも部分的に基づいて行われる。
【００１０】
本明細書では、複数のメッセージフォーマットに従う通信機器向けのダウンリンク制御情報メッセージの非スケジュール送信を前記通信機器が探索するシステムにおいて、前記複数のメッセージフォーマットの各々のためのそれぞれの１又はそれ以上の探索空間の組を選択するステップと、前記それぞれの１又はそれ以上の探索空間の組の選択結果の指示を前記通信機器に送信するステップとを含む方法も提供する。
【００１１】
１つの実施形態によれば、ダウンリンク制御メッセージの送信に複数のアグリゲーションレベルが使用され、アグリゲーションレベル毎にそれぞれの探索空間が予め定められ、方法は、前記複数のメッセージフォーマットの各々のためのそれぞれの１又はそれ以上のアグリゲーションレベルの組を選択するステップと、選択されたそれぞれのアグリゲーションレベルの組の指示を前記通信機器に送信するステップとをさらに含む。
【００１２】
１つの実施形態によれば、複数のメッセージフォーマットは、それぞれの第１及び第２の送信モードに従う送信のための制御情報を提供する第１及び第２のメッセージフォーマットを含み、選択するステップは、第１及び第２の送信モードのそれぞれの送信エラー確率の指示を考慮する。
【００１３】
本明細書では、複数の送信技術による１又はそれ以上の通信機器向けのダウンリンク制御情報の非スケジュール送信のための探索空間の組み合わせの選択結果の指示を無線アクセスネットワークが送信するシステムにおいて、第１の通信機器向けのダウンリンク制御情報の非スケジュール送信を前記第１の通信機器において探索するステップを含み、この探索するステップが、（ａ）前記複数の送信技術によるダウンリンク制御情報の非スケジュール送信のための探索空間の組み合わせについての前記第１の通信機器のための送信された選択結果の指示に基づいて行われ、或いは（ｂ）前記複数の送信技術によるダウンリンク制御情報の非スケジュール送信のための探索空間の組み合わせについての前記第１の通信機器のための選択結果の指示が送信されない場合には、前記複数の送信技術による前記第１の通信機器向けのダウンリンク制御情報の非スケジュール送信のための探索空間のデフォルトの組み合わせに基づいて行われる方法も提供する。
【００１４】
本明細書では、複数の送信技術による第１の通信機器向けのダウンリンク制御情報の非スケジュール送信を前記第１の通信機器において探索するステップを含み、この探索するステップが、前記複数の送信技術による前記第１の通信機器向けのダウンリンク制御情報の非スケジュール送信のための探索空間の組み合わせについての送信された選択結果の指示に基づいて行われる方法も提供する。
【００１５】
１つの実施形態によれば、前記送信される指示は、前記複数の送信技術のうちの１つ又はそれ以上による前記第１の通信機器向けのダウンリンク制御情報の非スケジュール送信に、前記複数の送信技術のうちの１つ又はそれ以上の他の送信技術による前記第１の通信機器向けのダウンリンク制御情報の非スケジュール送信に関連してどれほどの探索空間を割り当てるべきかを示す。
【００１６】
１つの実施形態によれば、前記送信される指示は、複数の所定の組み合わせのうちの１つを識別する。
【００１７】
１つの実施形態によれば、前記複数の所定の組み合わせは、前記複数の送信技術のうちの１つによるダウンリンク制御情報の非スケジュール送信に探索空間が割り当てられていない所定の組み合わせを含む。
【００１８】
１つの実施形態によれば、ダウンリンク制御情報の送信に複数のアグリゲーションレベルが使用され、各送信技術のアグリゲーションレベル毎にそれぞれの探索空間が予め定められ、前記送信される指示は、前記複数の送信技術の各々のためのそれぞれの１又はそれ以上のアグリゲーションレベルの組を識別する。
【００１９】
本明細書では、複数のメッセージフォーマットに従う複数の通信機器向けのダウンリンク制御情報メッセージの非スケジュール送信を無線アクセスネットワークが行い、前記複数のメッセージフォーマットの各々のためのそれぞれの１又はそれ以上の探索空間の組についての１又はそれ以上の通信機器のための選択結果の指示を前記無線アクセスネットワークが送信するシステムにおいて、第１の通信機器向けのダウンリンク制御情報の非スケジュール送信を前記第１の通信機器において探索するステップを含み、この探索するステップが、（ａ）前記複数のメッセージフォーマットの各々のためのそれぞれの１又はそれ以上の探索空間の組についての前記第１の通信機器のための送信された選択結果の指示に基づいて行われ、或いは（ｂ）前記複数のメッセージフォーマットの各々のためのそれぞれの１又はそれ以上の探索空間の組についての前記第１の通信機器のための選択結果の指示が送信されない場合には、前記複数のメッセージフォーマットの各々のためのそれぞれのデフォルトの１又はそれ以上の探索空間の組に基づいて行われる方法も提供する。
【００２０】
本明細書では、複数のメッセージフォーマットに従う第１の通信機器向けのダウンリンク制御情報の非スケジュール送信を前記第１の通信機器において探索するステップを含み、この探索するステップが、前記複数のメッセージフォーマットの各々のためのそれぞれの１又はそれ以上の探索空間の組についての送信された選択結果の指示に基づいて行われる方法も提供する。
【００２１】
１つの実施形態によれば、ダウンリンク制御メッセージの送信に複数のアグリゲーションレベルが使用され、該アグリゲーションレベル毎にそれぞれの探索空間が予め定められ、送信される指示は、前記複数のメッセージフォーマットの各々のためのそれぞれの選択された１又はそれ以上のアグリゲーションレベルの組を識別する。
【００２２】
本明細書では、プロセッサと、コンピュータプログラムコードを含むメモリとを備えた装置であって、メモリ及びコンピュータプログラムコードが、プロセッサと協働して、通信機器向けのダウンリンク制御情報の非スケジュール送信を前記通信機器が探索するシステムにおいて、複数の送信技術による通信機器向けのダウンリンク制御情報の非スケジュール送信のための探索空間の組み合わせを選択すること、及び選択した組み合わせの結果の指示を前記通信機器に送信することを装置に行わせるように構成された装置も提供する。
【００２３】
１つの実施形態によれば、メモリ及びコンピュータプログラムコードは、プロセッサと協働して、前記複数の送信技術のうちの１つ又はそれ以上による前記通信機器向けのダウンリンク制御情報の非スケジュール送信に、前記複数の送信技術のうちの１又はそれ以上の他の送信技術による前記通信機器向けのダウンリンク制御情報の非スケジュール送信に関連してどれほどの探索空間を割り当てるべきかを決定することを装置に行わせるようにさらに構成される。
【００２４】
１つの実施形態によれば、メモリ及びコンピュータプログラムコードは、プロセッサと協働して、複数の所定の組み合わせから所定の組み合わせを選択することを装置に行わせるようにさらに構成される。
【００２５】
１つの実施形態によれば、前記複数の所定の組み合わせは、前記複数の送信技術のうちの１つによるダウンリンク制御情報の非スケジュール送信に探索空間が割り当てられていない所定の組み合わせを含む。
【００２６】
１つの実施形態によれば、ダウンリンク制御情報の送信に複数のアグリゲーションレベルが使用され、各送信技術のアグリゲーションレベル毎にそれぞれの探索空間が予め定められ、メモリ及びコンピュータプログラムコードは、プロセッサと協働して、前記複数の送信技術の各々のためのそれぞれの１又はそれ以上のアグリゲーションレベルの組を選択すること、及び選択されたそれぞれのアグリゲーションレベルの組の指示を前記通信機器に送信することを装置に行わせるようにさらに構成される。
【００２７】
１つの実施形態によれば、メモリ及びコンピュータプログラムコードは、プロセッサと協働して、（ａ）送信が行われるセルにかかる負荷の大きさ、及び（ｂ）通信機器との無線インターフェイスのチャネル状態情報、の一方又は両方に少なくとも部分的に基づいて装置に前記選択を行わせるようにさらに構成される。
【００２８】
本明細書では、プロセッサと、コンピュータプログラムコードを含むメモリとを備えた装置であって、メモリ及びコンピュータプログラムコードが、プロセッサと協働して、複数のメッセージフォーマットに従う通信機器向けのダウンリンク制御情報メッセージの非スケジュール送信を前記通信機器が探索するシステムにおいて、前記複数のメッセージフォーマットの各々のためのそれぞれの１又はそれ以上の探索空間の組を選択すること、及び前記それぞれの１又はそれ以上の探索空間の組の選択結果の指示を前記通信機器に送信することを装置に行わせるように構成された装置も提供する。
【００２９】
１つの実施形態によれば、ダウンリンク制御メッセージの送信に複数のアグリゲーションレベルが使用され、アグリゲーションレベル毎にそれぞれの探索空間が予め定められ、メモリ及びコンピュータプログラムコードは、プロセッサと協働して、前記複数のメッセージフォーマットの各々のためのそれぞれの１又はそれ以上のアグリゲーションレベルの組を選択すること、及び選択されたそれぞれのアグリゲーションレベルの組の指示を前記通信機器に送信することを装置に行わせるようにさらに構成される。
【００３０】
１つの実施形態によれば、複数のメッセージフォーマットは、それぞれの第１及び第２の送信モードに従う送信のための制御情報を提供する第１及び第２のメッセージフォーマットを含み、メモリ及びコンピュータプログラムコードは、プロセッサと協働して、第１及び第２の送信モードのそれぞれの送信エラー確率の指示を考慮して装置に前記選択を行わせるようにさらに構成される。
【００３１】
本明細書では、プロセッサと、コンピュータプログラムコードを含むメモリとを備えた装置であって、メモリ及びコンピュータプログラムコードが、プロセッサと協働して、複数の送信技術による１又はそれ以上の通信機器向けのダウンリンク制御情報の非スケジュール送信のための探索空間の組み合わせの選択結果の指示を無線アクセスネットワークが送信するシステムにおいて、第１の通信機器向けのダウンリンク制御情報の非スケジュール送信を前記第１の通信機器において探索することを装置に行わせるように構成され、この探索が、（ａ）前記複数の送信技術によるダウンリンク制御情報の非スケジュール送信のための探索空間の組み合わせについての前記第１の通信機器のための送信された選択結果の指示に基づいて行われ、或いは（ｂ）前記複数の送信技術によるダウンリンク制御情報の非スケジュール送信のための探索空間の組み合わせについての前記第１の通信機器のための選択結果の指示が送信されない場合には、前記複数の送信技術による前記第１の通信機器向けのダウンリンク制御情報の非スケジュール送信のための探索空間のデフォルトの組み合わせに基づいて行われる装置も提供する。
【００３２】
本明細書では、プロセッサと、コンピュータプログラムコードを含むメモリとを備えた装置であって、メモリ及びコンピュータプログラムコードが、プロセッサと協働して、複数の送信技術による第１の通信機器向けのダウンリンク制御情報の非スケジュール送信を前記第１の通信機器において探索することを装置に行わせるように構成され、この探索が、前記複数の送信技術による前記第１の通信機器向けのダウンリンク制御情報の非スケジュール送信のための探索空間の組み合わせについての送信された選択結果の指示に基づいて行われる装置も提供する。
【００３３】
１つの実施形態によれば、前記送信される指示は、前記複数の送信技術のうちの１つ又はそれ以上による前記第１の通信機器向けのダウンリンク制御情報の非スケジュール送信に、前記複数の送信技術のうちの１つ又はそれ以上の他の送信技術による前記第１の通信機器向けのダウンリンク制御情報の非スケジュール送信に関連してどれほどの探索空間を割り当てるべきかを示す。
【００３４】
１つの実施形態によれば、前記送信される指示は、複数の所定の組み合わせのうちの１つを識別する。
【００３５】
１つの実施形態によれば、前記複数の所定の組み合わせは、前記複数の送信技術のうちの１つによるダウンリンク制御情報の非スケジュール送信に探索空間が割り当てられていない所定の組み合わせを含む。
【００３６】
１つの実施形態によれば、ダウンリンク制御情報の送信に複数のアグリゲーションレベルが使用され、各送信技術のアグリゲーションレベル毎にそれぞれの探索空間が予め定められ、前記送信される指示は、前記複数の送信技術の各々のためのそれぞれの１又はそれ以上のアグリゲーションレベルの組を識別する。
【００３７】
本明細書では、プロセッサと、コンピュータプログラムコードを含むメモリとを備えた装置であって、メモリ及びコンピュータプログラムコードが、プロセッサと協働して、複数のメッセージフォーマットに従う複数の通信機器向けのダウンリンク制御情報メッセージの非スケジュール送信を無線アクセスネットワークが行い、前記複数のメッセージフォーマットの各々のためのそれぞれの１又はそれ以上の探索空間の組についての１又はそれ以上の通信機器のための選択結果の指示を前記無線アクセスネットワークが送信するシステムにおいて、第１の通信機器向けのダウンリンク制御情報の非スケジュール送信を前記第１の通信機器において探索することを装置に行わせるように構成され、この探索が、（ａ）前記複数のメッセージフォーマットの各々のためのそれぞれの１又はそれ以上の探索空間の組についての前記第１の通信機器のための送信された選択結果の指示に基づいて行われ、或いは（ｂ）前記複数のメッセージフォーマットの各々のためのそれぞれの１又はそれ以上の探索空間の組についての前記第１の通信機器のための選択結果の指示が送信されない場合には、前記複数のメッセージフォーマットの各々のためのそれぞれのデフォルトの１又はそれ以上の探索空間の組に基づいて行われる装置も提供する。
【００３８】
本明細書では、プロセッサと、コンピュータプログラムコードを含むメモリとを備えた装置であって、メモリ及びコンピュータプログラムコードが、プロセッサと協働して、複数のメッセージフォーマットに従う第１の通信機器向けのダウンリンク制御情報の非スケジュール送信を前記第１の通信機器において探索することを装置に行わせるように構成され、この探索が、前記複数のメッセージフォーマットの各々のためのそれぞれの１又はそれ以上の探索空間の組についての送信された選択結果の指示に基づいて行われる装置も提供する。
【００３９】
１つの実施形態によれば、ダウンリンク制御メッセージの送信に複数のアグリゲーションレベルが使用され、該アグリゲーションレベル毎にそれぞれの探索空間が予め定められ、送信される指示は、前記複数のメッセージフォーマットの各々のためのそれぞれの選択された１又はそれ以上のアグリゲーションレベルの組を識別する。
【００４０】
本明細書では、プログラムコード手段を含むコンピュータプログラム製品であって、プログラムコード手段が、コンピュータにロードされた時に、通信機器向けのダウンリンク制御情報の非スケジュール送信を前記通信機器が探索するシステムにおいて、複数の送信技術による通信機器向けのダウンリンク制御情報の非スケジュール送信のための探索空間の組み合わせを選択すること、及び選択した組み合わせの結果の指示を前記通信機器に送信することを行うようにコンピュータを制御するコンピュータプログラム製品も提供する。
【００４１】
本明細書では、プログラムコード手段を含むコンピュータプログラム製品であって、プログラムコード手段が、コンピュータにロードされた時に、複数のメッセージフォーマットに従う通信機器向けのダウンリンク制御情報メッセージの非スケジュール送信を前記通信機器が探索するシステムにおいて、前記複数のメッセージフォーマットの各々のためのそれぞれの１又はそれ以上の探索空間の組を選択すること、及び前記それぞれの１又はそれ以上の探索空間の組の選択結果の指示を前記通信機器に送信することを行うようにコンピュータを制御するコンピュータプログラム製品も提供する。
【００４２】
本明細書では、プログラムコード手段を含むコンピュータプログラム製品であって、プログラムコード手段が、コンピュータにロードされた時に、複数の送信技術による１又はそれ以上の通信機器向けのダウンリンク制御情報の非スケジュール送信のための探索空間の組み合わせの選択結果の指示を無線アクセスネットワークが送信するシステムにおいて、第１の通信機器向けのダウンリンク制御情報の非スケジュール送信を前記第１の通信機器において探索するようにコンピュータを制御し、この探索が、（ａ）前記複数の送信技術によるダウンリンク制御情報の非スケジュール送信のための探索空間の組み合わせについての前記第１の通信機器のための送信された選択結果の指示に基づいて行われ、或いは（ｂ）前記複数の送信技術によるダウンリンク制御情報の非スケジュール送信のための探索空間の組み合わせについての前記第１の通信機器のための選択結果の指示が送信されない場合には、前記複数の送信技術による前記第１の通信機器向けのダウンリンク制御情報の非スケジュール送信のための探索空間のデフォルトの組み合わせに基づいて行われるコンピュータプログラム製品も提供する。
【００４３】
本明細書では、プログラムコード手段を含むコンピュータプログラム製品であって、プログラムコード手段が、コンピュータにロードされた時に、複数の送信技術による第１の通信機器向けのダウンリンク制御情報の非スケジュール送信を前記第１の通信機器において探索するようにコンピュータを制御し、この探索が、前記複数の送信技術による前記第１の通信機器向けのダウンリンク制御情報の非スケジュール送信のための探索空間の組み合わせについての送信された選択結果の指示に基づいて行われるコンピュータプログラム製品も提供する。
【００４４】
本明細書では、プログラムコード手段を含むコンピュータプログラム製品であって、プログラムコード手段が、コンピュータにロードされた時に、複数のメッセージフォーマットに従う複数の通信機器向けのダウンリンク制御情報メッセージの非スケジュール送信を無線アクセスネットワークが行い、前記複数のメッセージフォーマットの各々のためのそれぞれの１又はそれ以上の探索空間の組についての１又はそれ以上の通信機器のための選択結果の指示を前記無線アクセスネットワークが送信するシステムにおいて、第１の通信機器向けのダウンリンク制御情報の非スケジュール送信を前記第１の通信機器において探索するようにコンピュータを制御し、この探索が、（ａ）前記複数のメッセージフォーマットの各々のためのそれぞれの１又はそれ以上の探索空間の組についての前記第１の通信機器のための送信された選択結果の指示に基づいて行われ、或いは（ｂ）前記複数のメッセージフォーマットの各々のためのそれぞれの１又はそれ以上の探索空間の組についての前記第１の通信機器のための選択結果の指示が送信されない場合には、前記複数のメッセージフォーマットの各々のためのそれぞれのデフォルトの１又はそれ以上の探索空間の組に基づいて行われるコンピュータプログラム製品も提供する。
【００４５】
本明細書では、プログラムコード手段を含むコンピュータプログラム製品であって、プログラムコード手段が、コンピュータにロードされた時に、複数のメッセージフォーマットに従う第１の通信機器向けのダウンリンク制御情報の非スケジュール送信を前記第１の通信機器において探索するようにコンピュータを制御し、この探索が、前記複数のメッセージフォーマットの各々のためのそれぞれの１又はそれ以上の探索空間の組についての送信された選択結果の指示に基づいて行われるコンピュータプログラム製品も提供する。
【００４６】
１つの実施形態によれば、前記複数の送信技術は、前記通信機器に固有の１又はそれ以上の基準信号の送信を伴う第１の送信技術と、前記通信機器に固有の１又はそれ以上の基準信号の送信を伴わない第２の送信技術とを含む。
【００４７】
１つの実施形態によれば、前記複数の送信技術は、前記通信機器に固有の１又はそれ以上の基準信号及び１又はそれ以上のチャネル状態情報基準信号の両方の送信を伴う第１の送信技術と、１又はそれ以上のセル固有の基準信号の送信を伴う第２の送信技術とを含む。
【００４８】
１つの実施形態によれば、前記複数の送信技術は、復調基準信号をプリコーディングして送信するとともに、ダウンリンク制御情報を定めるデータシンボルをプリコーディングして送信すること、及び１又はそれ以上のチャネル状態情報基準信号を送信するとともに、ダウンリンク制御情報を定めるプリコーディングデータシンボルを送信することを伴う第１の送信技術と、セル固有の基準信号を送信するとともに、ダウンリンク制御情報を定めるプリコーディングデータシンボルを送信することを伴う第２の送信技術とを含む。
【００４９】
以下、添付図面を参照しながら、本発明の実施形態をほんの一例として詳細に説明する。
【図面の簡単な説明】
【００５０】
【図１】本発明の実施形態を実装するセルラーネットワークの例を示す図である。
【図２】図１のユーザ装置において使用する装置の例を示す図である。
【図３】図１のｅＮｏｄｅＢにおいて使用する装置の例を示す図である。
【図４】ダウンリンク制御情報を送信するための送信技術の例を示す図である。
【図５】ダウンリンク制御情報を送信するための別の送信技術の例を示す図である。
【図６】本発明の第１の実施形態による、図１のネットワークアクセスノード及びユーザ装置における動作例を示す図である。
【図７】本発明の第２の実施形態による、図１のネットワークアクセスノード及びユーザ装置における動作例を示す図である。
【発明を実施するための形態】
【００５１】
以下、Ｅ−ＵＴＲＡＮ規格に従って動作するセルラーネットワークを背景として、本発明の実施形態をほんの一例として詳細に説明する。
【００５２】
図１に、本発明の実施形態を実装できるセルラーネットワークの例を示す。このセルラーネットワークはセル４を含み、それぞれのｅＮｏｄｅＢ（ｅＮＢ）にトランシーバが備わる。図１には９つのセルしか示していないが、通常、移動体通信ネットワークは数万個ものセルを含む。各ｅＮＢ２は、有線リンクによってコアネットワーク（図示せず）に接続される。
【００５３】
図２は、無線インターフェイスを介して図１のｅＮＢ２と通信するために使用できるユーザ装置８の例の概略図である。ユーザ装置（ＵＥ）８は、電話を掛けること及び受けることなどの様々なタスク、データネットワークとの間のデータの送受信、並びに、例えばマルチメディア又はその他のコンテンツの体験に使用することができる。
【００５４】
ＵＥ８は、図１のｅＮＢ２との間で少なくとも無線信号の送信又は受信ができるいずれかの装置とすることができる。非限定的な例としては、移動局（ＭＳ）、無線インターフェイスカード又はその他の無線インターフェイス機能を備えたポータブルコンピュータ、無線通信能力を備えた携帯情報端末（ＰＤＡ）、又はこれらのいずれかの組み合わせなどが挙げられる。ＵＥ８は、ＵＥ８の適当な無線インターフェイス構成を介して通信することができる。このインターフェイス構成は、例えば無線部及び関連するアンテナ構成によって実現することができる。アンテナ構成は、ＵＥ８の内部又は外部に配置することができる。
【００５５】
ＵＥ８は、ＵＥ８が行うように設計されたタスクで使用するための、少なくとも１つのデータ処理エンティティ２０３及び少なくとも１つのメモリ又はデータ記憶エンティティ２１７を備えることができる。このデータプロセッサ２１３及びメモリ２１７は、適当な回路基板２１９上及び／又はチップセット内に設けることができる。
【００５６】
ユーザは、キーパッド２０１、音声コマンド、タッチセンサ式スクリーン又はパッド、或いはこれらの組み合わせなどの好適なユーザインターフェイスを用いてＵＥ８の動作を制御することができる。ディスプレイ２１５、スピーカ及びマイクを設けることもできる。さらに、ＵＥ８は、他の装置への、及び／又は、例えばハンズフリー装置などの外部付属品をＵＥ８に接続するための適当な（有線又は無線）コネクタを含むこともできる。
【００５７】
図３には、図１のｅＮＢ２において使用するとともに、ＵＥ８が位置するセル４にサービスを提供するための装置の例を示す。この装置は、無線周波数信号を送受信するように構成された無線周波数アンテナアレイ３０１、並びにアンテナ３０１及びデータプロセッサ３０６により送受信される無線周波数信号のインターフェイスをとるように構成された無線周波数インターフェイス回路３０３を含む。無線周波数インターフェイス回路３０３は、トランシーバとして知られていることもある。装置は、１又はそれ以上の他のネットワークノードとの間で情報を送受信できるようにするインターフェイス３０９も含む。データプロセッサ３０６は、無線周波数インターフェイス回路３０３からの信号を処理し、無線通信リンクを介してＵＥ６に情報を通信するのに適したＲＦ信号を生成するように無線周波数インターフェイス回路３０３を制御し、またインターフェイス３０９を介して他のネットワークノードと情報を交換するように構成される。メモリ３０７は、データプロセッサ３０６が使用するデータ、パラメータ及び命令を記憶するために使用される。
【００５８】
上述した図２及び図３の各々に示す装置は、後述する本発明の実施形態に直接関連しないさらなる要素を含むこともできると理解されるであろう。
【００５９】
３ＧＰＰ  ＴＳ３６．２１２のセクション５．３．３に示されるように、ダウンリンク制御情報（ＤＣＩ）は、ダウンリンク又はアップリンクスケジューリング情報、非周期的ＣＱＩ（チャネル品質情報）レポート要求、ＭＣＣＨ（マルチキャスト制御チャネル）変更通知、及びアップリンク出力制御コマンドのうちの１つ又はそれ以上を含むことができる。
【００６０】
ダウンリンク制御情報の目的に応じて、異なるメッセージフォーマットが使用される。
【００６１】
例えば、３ＧＰＰ  ＴＳ３６．２１２のセクション５．３．３．１．２においてＤＣＩフォーマット１として識別されるフォーマットは、単一のコードワードＰＤＳＣＨ送信のリソース割り当てを通信するために使用され、３ＧＰＰ  ＴＳ３６．２１２のセクション５．３．３．１．３においてＤＣＩフォーマット２として識別されるフォーマットは、閉ループＭＩＭＯ動作のためのＰＤＳＣＨのリソース割り当てを通信するために使用される。
【００６２】
ｅＮＢ２は、ＵＥ８に送信すべきＰＤＣＣＨフォーマットを決定し、３ＧＰＰ  ＴＳ３６．２１２のセクション５．３．３に定められるルールに従って一連の情報ビットを作成する。ＰＤＣＣＨフォーマットは、ＤＣＩメッセージの送信に使用する制御チャネル要素（ＣＣＥ）の数によって異なり、この数はアグリゲーションレベルＬと呼ばれる。例えば、アグリゲーションレベルは、１、２、４又は８になり得る。
【００６３】
次に、１つのダウンリンク制御情報（ＤＣＩ）メッセージを含む情報ビットにＣＲＣ（巡回冗長検査）を行う。ＣＲＣは、ＤＣＩメッセージの対象であるＵＥ８に関連するＲＮＴＩ（無線ネットワーク一時識別子）で、又は複数の受信者を対象とするＰＤＣＣＨの場合には、ＰＤＣＣＨの使用に関連するＲＮＴＩでマスク処理される。
【００６４】
次に、３ＧＰＰ  ＴＳ３６．２１２のセクション５．３．３に記載されるように、結果として得られるビットの組にチャネル符号化及びレートマッチングを行う。
【００６５】
３ＧＰＰ  ＴＳ３６．２１１のセクション６．３に記載されるように、結果として得られる符号化ビットの組は、（ｉ）符号化ビットをスクランブル処理するステップ、（ｉｉ）スクランブル処理したビットを変調して複素数値変調記号を生成するステップ、（ｉｉｉ）複素数値変調記号を１又は複数のトランスミッション層上にマッピングするステップ、（ｉｖ）アンテナポートで送信を行うために各層において複素数値変調記号のプリコーディングを行うステップ、（ｖ）複素数値変調記号をアンテナポート毎にリソース要素にマッピングするステップ、及び（ｖｉ）アンテナポート毎に複素数値時間領域ＯＦＤＭ信号を生成するステップによってベースバンド信号に変換される。
【００６６】
ｅＮＢ２は、ＵＥ８向けのＤＣＩメッセージを２つの異なる送信技術に従って送信する。
【００６７】
図４に第１の送信技術を示しており、この技術は、３ＧＰＰ  ＴＳ３６．２１１  Ｖ１０．４．０のセクション６．１０．１に記載されるように、ＤＣＩメッセージを定義するベースバンド信号と、セル固有の基準信号（ＣＲＳ）とを送信するコードブックベースの送信スキームである。ｅＮＢ２がＵＥ８に識別情報を通信したプリコーディング行列（複数の予め定義した異なる行列のうちの１つであり、これらの集合はコードブックと呼ばれる）を用いて、ｅＮＢ２におけるプリコーディング及びＵＥ８におけるデプリコーディングが行われる。
【００６８】
図５に第２の送信技術を示しており、この技術は、（３ＧＰＰ  ＴＳ３６．２１１のセクション６．１０．３に記載される）ＵＥ固有の基準信号（ＤＭ−ＲＳ）を、ＤＣＩビットから導出された複素数値変調記号と同じようにプリコーディングし、ＤＣＩメッセージから導出されたベースバンド信号、（３ＧＰＰ  ＴＳ３６．２１１のセクション６．１０．５に記載される）ＣＳＩ基準信号（ＣＳＩ−ＲＳ）、及びプリコーディングしたＵＥ固有の基準信号を送信するものである。この非コードブックベースの送信技術は、プリコーディング及びデプリコーディングに予め定義したプリコーディング行列を使用しない。ｅＮＢ２は、ダウンリンク送信の重みを、限られた所定数の組み合わせの１つに制限されることなくアンテナアレイのアンテナ毎に自由に選択する。ＵＥ８は、ＤＣＩメッセージから導出された複素数値変調記号の組と同じようにプリコーディングされたＵＥ固有の基準信号を用いて、ｅＮＢ２とＵＥ８の間のチャネル全体の推定を行う。この高度送信技術により送信されるＰＤＣＣＨは、拡張ＰＤＣＣＨ（ｅＰＤＣＣＨＳ）として知られている。
【００６９】
ＵＥ８は、ＵＥ８向けの（単複の）ＤＣＩメッセージを定義するベースバンド信号をどの無線リソースの組（サブフレームにおける制御チャネル要素（ＣＣＥ））が搬送するのかが正確に分からない。ＵＥ８は、ＵＥ８を対象とする（単複の）ＰＤＣＣＨを発見するために、（ＰＤＣＣＨ／ｅＰＤＣＣＨに使用されることが分かっている）異なる無線リソースの組をＰＤＣＣＨ／ｅＰＤＣＣＨ候補として繰り返し選択し、それぞれのベースバンド信号を正常に復号しようと試みることによりブラインド復号を実行する。この復号の試みは、ＵＥ８に割り当てられたＣｅｌｌ−ＲＮＴＩを用いてＣＲＣをマスク解除処理するものである。ＣＲＣエラーが検知されなければ、復号の試みは成功と見なされ、ＵＥ８は、復号ビットによって定義された制御情報を読み取る。
【００７０】
この復号の試みでは、ＤＣＩメッセージのサイズが入力として設定される（このサイズはＤＣＩフォーマットに依存する）ので、ＵＥ８は、ＵＥ８の送信モード、及びＵＥ８のためのＰＤＣＣＨ／ｅＰＤＣＣＨが共通探索空間（ＣＳＳ）又はＵＥ固有の探索空間（ＵＳＳ）に含まれているか否かに基づいてＵＥ８に指定される２つのＤＣＩフォーマット毎に、各ＰＤＣＣＨ／ｅＰＤＣＣＨ候補に別個の復号の試みを行う必要があり得る。
【００７１】
以下の表１に、ＤＣＩメッセージの考えられるアグリゲーションレベルの一例をＰＤＣＣＨ及びｅＰＤＣＣＨの両方について示す。表１には、各アグリゲーションレベルの探索空間サイズも示す。この探索空間サイズは、それぞれのアグリゲーションレベルのＰＤＣＣＨ又はｅ−ＰＤＣＣＨを発見できる（ＣＣＥの数の面から表した）無線リソースの組のサイズを示す。各アグリゲーションレベルの探索空間は、予め識別情報がＵＥ８に記憶されている所定の無線リソース（ＣＣＥ）の組である。それぞれのアグリゲーションレベルによって分けられるそれぞれの探索空間サイズにより、特定のタイプのＰＤＣＣＨ／ｅＰＤＣＣＨ（すなわち、ＰＤＣＣＨ又はｅＰＤＣＣＨのいずれか）を発見するためにＵＥ８がチェックする必要があるＰＤＣＣＨ／ｅＰＤＣＣＨ候補の最大数、及びアグリゲーションレベルが与えられる。異なるＤＣＩフォーマットは異なるサイズを有するので、ＤＣＩメッセージが２つのＤＣＩフォーマットの一方を有することができる場合、ＵＥ８は、ＰＤＣＣＨ／ｅＰＤＣＣＨの候補毎に最大２回の復号の試みを行う必要があり得る。
表１
0006047836.tif 000002
【００７２】
仮に、ＵＥ８向けのＤＣＩメッセージにどのアグリゲーションレベルを使用するかに関してｅＮＢ２が制約を設定していないとすれば、ＵＥ８が復号の試みを行う必要があるＰＤＣＣＨ／ｅＰＤＣＣＨ候補の最大数は４４になる。
【００７３】
この本発明の第１の実施形態によれば、ｅＮＢ２は、ＵＥ８向けの（単複の）ＤＣＩメッセージのベースバンド信号をＵＥ８がサブフレーム内で発見するのを支援する（及びこれによりＵＥ８においてブラインド復号に必要とされる処理能力を低減させる）ために、ＵＥ８向けのＤＣＩメッセージにどのアグリゲーションレベル（ＰＤＣＣＨフォーマット）を使用するかに関して制約を設定し、この制約を適用したＰＤＣＣＨ送信よりも前に、ＲＲＣシグナリング又はＭＡＣ−ＣＥシグナリングなどの上位層シグナリングによってＵＥ８に制約の指示を送信する。
【００７４】
図６を参照して分かるように、ｅＮＢ２は、ｅＰＤＤＣＨに関連してＰＤＣＣＨがＤＣＩにどれだけの総探索空間を割り当てるべきかを決定し（ステップ６０２）、ＰＤＣＣＨ及びｅＰＤＣＣＨによるＤＣＩの送信のための所定の探索空間の組み合わせを選択する（ステップ６０４）。次に、ｅＮＢ２は、この選択した探索空間の組み合わせを識別するメッセージをＵＥ８に送信する（ステップ６０６）。ＵＥ８は、この送信メッセージを受け取り（ステップ６０８）、ブラインド復号の一部として実行する探索を、ｅＮＢ２から受け取ったメッセージ内で識別される選択された探索空間の組み合わせに制限する（ステップ６１０）。
【００７５】
１つの例によれば、ｅＮＢは、ＵＥ８のブラインド復号能力の結果として生じるあらゆる制限（すなわち、ＵＥがサブフレーム内で実行できる復号の試みの最大数）に従い、ＰＤＣＣＨ／ｅＰＤＣＣＨのタイプとアグリゲーションレベルのそれぞれの組み合わせをＵＥ８に使用すべきか否かに基づいて、表１のＡ〜Ｆ及びＵ〜Ｚの各々をゼロ又は候補の最大数に自由に設定し、この選択された設定の情報がＵＥ８に通信される。例えば、ｅＮＢ２は、Ａ〜Ｆ及びＵ〜Ｚの各々を、ＰＤＣＣＨ／ｅＰＤＣＣＨ候補の最大総数が、３ＧＰＰ  ＴＳ３６．２１３のセクション９．１．１に記載される従来の手順（ＰＤＣＣＨのみを使用してｅＰＤＣＣＨを使用しない）におけるＰＤＣＣＨ候補の最大総数である２２になるように設定することができる。このＡ〜Ｆ及びＵ〜Ｚの値のＵＥ８への通信は、分離符号化又は結合符号化によって行うことができる。
【００７６】
ＵＥ８は、Ａ〜ＦとＵ〜Ｚの組み合わせの選択に関する指示がＵＥ８に送信されなかった場合にはデフォルト構成を使用するように予め構成されるので、Ａ〜ＦとＵ〜Ｚの１つの組み合わせをデフォルトの組み合わせとして選択することができ、その選択をＵＥ８に通信する必要はない。デフォルトの組み合わせの一例は、Ａ＝６、Ｂ＝６、Ｃ＝２、Ｄ＝２、Ｅ＝４、Ｆ＝２及びＵ〜Ｚ全て＝０である。このデフォルトの組み合わせによれば、ｅＰＤＣＣＨを介してＤＣＩの非スケジュール送信が行われることはなく、ＰＤＣＣＨのみを介して行われる。
【００７７】
ＵＥ８への通信のオーバヘッドを低減することを目的とする別の例によれば、ｅＮＢ２は、複数の所定の構成の１つをＵＥ８のために選択し、予めＵＥ８に記憶されているＡ〜ＦとＵ〜Ｚの値の組み合わせに関連する、ＵＥ８が認識できるポリシー番号を用いて、この選択した所定の構成の識別情報をＵＥ８に通信する。
【００７８】
例えば、複数の所定の構成を作成して、ＵＥ８のためのＰＤＣＣＨ及びｅＰＤＣＣＨに割り当てられたリソースの量が異なる所定の構成が存在するようにすることができる。一例として、（ｉ）Ａ〜Ｆの各々が候補の最大数に設定され、Ｕ〜Ｚの各々がゼロに設定された（すなわち、ＵＥ８のためのＰＤＣＣＨに最大量のリソースが割り当てられ、ＵＥ８のためのｅＰＤＣＣＨにリソースが割り当てられていない）構成、（ｉｉ）Ａ〜Ｆの合計が１４であり、Ｕ〜Ｚの合計が８である（すなわち、ＵＥ８のためのｅＰＤＣＣＨの約２倍のリソースがＵＥ８のためのＰＤＣＣＨに割り当てられた）構成、（ｉｉｉ）Ａ〜Ｆの合計が８であり、Ｕ〜Ｚの合計が１４である（すなわち、ＵＥ８のためのＰＤＣＣＨの約２倍のリソースがＵＥ８のためのｅＰＤＣＣＨに割り当てられた）構成、及び（ｉｖ）Ａ〜Ｆが全てゼロに設定され、Ｕ〜Ｚの各々が候補の最大数に設定された（すなわち、ＵＥ８のためのｅＰＤＣＣＨに最大量のリソースが割り当てられ、ＵＥ８のためのＰＤＣＣＨにリソースが割り当てられていない）構成が挙げられる。
【００７９】
上述した技術は、ＰＤＣＣＨとｅＰＤＣＣＨの間で利得と負荷を相殺させる方法を提供するものである。ＰＤＣＣＨに割り当てるリソースを増やしてｅＰＤＣＣＨに割り当てるリソースを減らすと、対立する割合を低減する役に立つことができる。一方で、ｅＰＤＣＣＨに割り当てるリソースを増やしてＰＤＣＣＨに割り当てるリソースを減らすと、ＦＤＰＳ利得、ユーザ選択的利得などを高めることができる。ｅＮＢ２は、ｅＮＢ２とＵＥ８の間のチャネルの負荷及び状態などのいくつかの因子に基づいて、ＵＥ８のためのＰＤＣＣＨとｅＰＤＣＣＨの間の最適なリソースの割り当てを決定する。
【００８０】
第２の実施形態によれば、ｅＮＢ２が、ＰＤＣＣＨ及び／又はｅＰＤＣＣＨを介して１又はそれ以上のアグリゲーションレベルでＵＥ８にＤＣＩメッセージを送るために使用するＤＣＩフォーマットにさらなる制限を加え、この制限をＲＲＣシグナリング又はＭＡＣ−ＣＥシグナリングなどの上位層シグナリングによってＵＥ８に通信することにより、ＵＥ８においてブラインド復号に必要とされる処理能力の量が低減される。例えば、ＵＥ８のためのＰＤＳＣＨスケジューリング情報を含む１又はそれ以上のアグリゲーションレベルのＤＣＩメッセージを２つのＤＣＩフォーマットではなく１つのみのＤＣＩフォーマットに制限し、この制限をｅＮＢ２からＵＥ８に通信することにより、ＵＥ８においてブラインド復号に必要とされる処理能力を低減することができる。例えば、好ましい送信モードによるスケジュール送信に必要な制御情報を提供するためにＤＣＩフォーマット２を使用し、（ＵＥがｅＮＢ２から比較的離れている場合などの、状況によっては上記の好ましいモードよりも信頼できる）フォールバック送信モードによる同じスケジュール送信に必要な制御情報を提供するためにＤＣＩフォーマット１を使用している場合、ｅＮＢ２は、好ましい送信モードの結果、正常な送信が行われる確率が閾値を下回ると判断した場合には、ＤＣＩフォーマット２に従ってＤＣＩメッセージを送信するアグリゲーションレベルの数を減少させる決定を行うことができる。
【００８１】
図７を参照して分かるように、ｅＮＢ２は、ＤＣＩフォーマット２に関連してＤＣＩフォーマット１にどれだけの総探索空間を割り当てるべきかを決定し（ステップ７０２）、ＤＣＩフォーマット１及び２のための所定の探索空間の組み合わせを選択する（ステップ７０４）。次に、ｅＮＢ２は、この選択した探索空間の組み合わせを識別するメッセージをＵＥ８に送信する（ステップ７０６）。ＵＥ８は、この送信メッセージを受け取り（ステップ７０８）、ブラインド復号の一部として実行する探索を、ｅＮＢ２から受け取ったメッセージ内で識別される選択された探索空間の組み合わせに制限する（ステップ７１０）。
【００８２】
第３の実施形態によれば、第２の実施形態による技術が、第１の実施形態による技術と組み合わせて使用される。
【００８３】
上述した動作は、様々なエンティティにおけるデータ処理を必要とする場合がある。このデータ処理は、１又はそれ以上のデータプロセッサを用いて行うことができる。同様に、上記の実施形態で説明した様々なエンティティは、単一の又は複数のデータ処理エンティティ及び／又はデータプロセッサ内に実装することができる。これらの実施形態をコンピュータにロードする際には、適切に適合するコンピュータプログラムコード製品を用いて実施形態を実施することができる。動作をもたらすためのプログラムコード製品は、キャリアディスク、カード又はテープなどのキャリア媒体に記憶し、これらを用いて提供することができる。これらのプログラムコード製品を、データネットワークを介してダウンロードすることも考えられる。サーバ内の適当なソフトウェアを用いて実装を行うこともできる。
【００８４】
例えば、本発明の実施形態をチップセットとして、換言すれば、互いに通信し合う一連の集積回路として実装することができる。このチップセットは、コードを実行するように構成されたマイクロプロセッサ、特定用途向け集積回路（ＡＳＩＣ）、又は上述した動作を実行するためのプログラマブルデジタルシグナルプロセッサを含むことができる。
【００８５】
本発明の実施形態は、集積回路モジュールなどの様々なコンポーネント内で実施することができる。集積回路の設計は、概して高度に自動化されたプロセスである。論理レベルの設計を、いつでも半導体基板上にエッチングして形成できる半導体回路設計に変換するために、複雑かつ強力なソフトウェアツールを利用することができる。
【００８６】
カリフォルニア州マウンテンビューのＳｙｎｏｐｓｙｓ社、及びカリフォルニア州サンホセのＣａｄｅｎｃｅ  Ｄｅｓｉｇｎ社により提供されるようなプログラムは、十分に確立した設計ルール並びに予め記憶した設計モジュールのライブラリを用いて、導体を自動的に導き、部品を半導体チップ上位置決めする。半導体回路の設計が完了すると、結果として得られる（Ｏｐｕｓ、ＧＤＳＩＩなどの）標準化された電子フォーマットの形の設計を製造のために半導体加工施設すなわち「ｆａｂ」へ送ることができる。
【００８７】
当業者には、明示的に上述した修正に加え、説明した実施形態の他の様々な修正を本発明の範囲内で行い得ることが明らかであろう。
【符号の説明】
【００８８】
６０２  ＥＮＢ２において、ＥＰＤＣＣＨに関連してＰＤＣＣＨがＵＥ８向けのＤＣＩの非スケジュール送信にどれほどの総探索空間を割り当てるべきかを決定
６０４  ＥＮＢ２において、ＰＤＣＣＨ及びＥＰＤＣＣＨによるＵＥ８向けのＤＣＩの非スケジュール送信のための所定の探索空間の組み合わせを選択
６０６  選択した組み合わせの結果の指示をＥＮＢ２から送信
６０８  ＵＥ８において上記指示を受け取る
６１０  ＵＥ８において、上記受け取った指示により識別される所定の探索空間の組み合わせの中でＵＥ８向けのＤＣＩを探索
【図１】
0006047836.tif 000003
【図２】
0006047836.tif 000004
【図３】
0006047836.tif 000005
【図４】
0006047836.tif 000006
【図５】
0006047836.tif 000007
【図６】
0006047836.tif 000008
【図７】
0006047836.tif 000009